(57)【特許請求の範囲】
【請求項１】
伸縮する印刷媒体の、伸縮前の長さに対する伸縮後の長さの比率である伸縮率として、前記印刷媒体の長手方向の伸び率と、前記印刷媒体の当該長手方向と直交する幅方向の縮み率とを、当該印刷媒体を伸縮させる前に取得する取得手段と、
前記取得手段が取得した前記伸縮率に基づいて、前記印刷媒体に印刷するパターンの縦横比を、前記伸び率に基づく前記長手方向における前記パターンの圧縮率と、前記縮み率に基づく前記幅方向における前記パターンの伸張率と、から決定する決定手段と、
前記決定手段が決定した前記縦横比で前記パターンを前記印刷媒体に印刷する印刷手段と、
を備えた、
ことを特徴とする印刷装置。
【請求項２】
前記印刷媒体を引き伸ばした際に、前記印刷媒体の長手方向と直交する幅方向の長さが所定長になったことを示すマークを、前記印刷媒体に印刷するマーク印刷手段、をさらに備えた、
ことを特徴とする請求項１に記載の印刷装置。
【請求項３】
前記マーク印刷手段は、前記伸縮率に基づいて、前記マークを前記印刷媒体の所定位置に印刷する、
ことを特徴とする請求項２に記載の印刷装置。
【請求項４】
前記マーク印刷手段は、前記所定長において縦横の比率が１対１になる図形マークを、前記印刷媒体に印刷する、
ことを特徴とする請求項２に記載の印刷装置。
【請求項５】
伸縮する印刷媒体の、伸縮前の長さに対する伸縮後の長さの比率である伸縮率を、当該印刷媒体を伸縮させる前に取得する取得手段と、
前記取得手段が取得した前記伸縮率に基づいて、前記印刷媒体に印刷するパターンの縦横比を決定する決定手段と、
前記決定手段が決定した前記縦横比で前記パターンを前記印刷媒体に印刷する印刷手段と、
前記印刷媒体を引き伸ばした際に、前記印刷媒体の長手方向と直交する幅方向の長さが所定長になったことを示すマークを、前記伸縮率に基づいて、前記印刷媒体の所定位置に印刷するマーク印刷手段と、
を備えた、
ことを特徴とする印刷装置。
【請求項６】
伸縮する印刷媒体の、伸縮前の長さに対する伸縮後の長さの比率である伸縮率として、前記印刷媒体の長手方向の伸び率と、前記印刷媒体の当該長手方向と直交する幅方向の縮み率とを、当該印刷媒体を伸縮させる前に取得する取得ステップと、
前記取得ステップにおいて取得した前記伸縮率に基づいて、前記印刷媒体に印刷するパターンの縦横比を、前記伸び率に基づく前記長手方向における前記パターンの圧縮率と、前記縮み率に基づく前記幅方向における前記パターンの伸張率と、から決定する決定ステップと、
前記決定ステップにおいて決定した前記縦横比で前記パターンを前記印刷媒体に印刷する印刷ステップと、
を含む、
ことを特徴とする印刷方法。
【請求項７】
伸縮する印刷媒体の、伸縮前の長さに対する伸縮後の長さの比率である伸縮率を、当該印刷媒体を伸縮させる前に取得する取得ステップと、
前記取得ステップにおいて取得した前記伸縮率に基づいて、前記印刷媒体に印刷するパターンの縦横比を決定する決定ステップと、
前記決定ステップにおいて決定した前記縦横比で前記パターンを前記印刷媒体に印刷する印刷ステップと、
前記印刷媒体を引き伸ばした際に、前記印刷媒体の長手方向と直交する幅方向の長さが所定長になったことを示すマークを、前記伸縮率に基づいて、前記印刷媒体の所定位置に印刷するマーク印刷ステップと、
を含む、
ことを特徴とする印刷方法。
【請求項８】
コンピュータを、
伸縮する印刷媒体の、伸縮前の長さに対する伸縮後の長さの比率である伸縮率として、前記印刷媒体の長手方向の伸び率と、前記印刷媒体の当該長手方向と直交する幅方向の縮み率とを、当該印刷媒体を伸縮させる前に取得する取得手段、
前記取得手段が取得した前記伸縮率に基づいて、前記印刷媒体に印刷するパターンの縦横比を、前記伸び率に基づく前記長手方向における前記パターンの圧縮率と、前記縮み率に基づく前記幅方向における前記パターンの伸張率と、から決定する決定手段、
前記決定手段が決定した前記縦横比で前記パターンを前記印刷媒体に印刷する印刷手段、
として機能させる、
ことを特徴とするプログラム。
【請求項９】
コンピュータを、
伸縮する印刷媒体の、伸縮前の長さに対する伸縮後の長さの比率である伸縮率を、当該印刷媒体を伸縮させる前に取得する取得手段、
前記取得手段が取得した前記伸縮率に基づいて、前記印刷媒体に印刷するパターンの縦横比を決定する決定手段、
前記決定手段が決定した前記縦横比で前記パターンを前記印刷媒体に印刷する印刷手段、
前記印刷媒体を引き伸ばした際に、前記印刷媒体の長手方向と直交する幅方向の長さが所定長になったことを示すマークを、前記伸縮率に基づいて、前記印刷媒体の所定位置に印刷するマーク印刷手段、
として機能させる、
ことを特徴とするプログラム。
【発明の詳細な説明】
【技術分野】
【０００１】
本発明は、印刷装置、印刷方法及びプログラムに関する。
【背景技術】
【０００２】
従来から、印刷媒体（例えば、長尺状のテープなど）に印刷を行う印刷装置が知られている。
【０００３】
特許文献１には、伸縮性のあるテープに対して印刷を行う印刷装置において、印刷後にテープが引き伸ばされて使用されることを考慮して、小さいフォントサイズでテープに印刷を行うことが開示されている。
【先行技術文献】
【特許文献】
【０００４】
【特許文献１】特開平１１−１０５３５１号公報
【発明の概要】
【発明が解決しようとする課題】
【０００５】
ところで、テープへの印刷において異なるテープ幅が複数ある場合、ユーザは所望するテープ幅のテープを印刷装置にセットして印刷を行う。
【０００６】
この場合、印刷に使用しない複数のテープは、ユーザがテープ幅毎に管理しなければならない。また、ユーザは、別のテープ幅のテープで印刷を行う場合、テープの入れ替えを行わなければならない。また、異なるテープ幅が複数あることから、印刷時にユーザが所望するテープがない事態が発生することもある。
【０００７】
このようなことから、異なるテープ幅が複数あるとテープの入れ替えなど印刷準備に手間がかかり、ユーザの管理負担も増えるという課題があった。
【０００８】
そこで、本発明は、上記課題に鑑みてなされたものであって、印刷準備の手間を省き、ユーザの管理負担を軽減する印刷装置、印刷方法及びプログラムを提供することを目的とする。
【課題を解決するための手段】
【０００９】
上記目的を達成するため、本発明の印刷装置の一様態は、
伸縮する印刷媒体の、伸縮前の長さに対する伸縮後の長さの比率である伸縮率として、前記印刷媒体の長手方向の伸び率と、前記印刷媒体の当該長手方向と直交する幅方向の縮み率とを、当該印刷媒体を伸縮させる前に取得する取得手段と、
前記取得手段が取得した前記伸縮率に基づいて、前記印刷媒体に印刷するパターンの縦横比を、前記伸び率に基づく前記長手方向における前記パターンの圧縮率と、前記縮み率に基づく前記幅方向における前記パターンの伸張率と、から決定する決定手段と、
前記決定手段が決定した前記縦横比で前記パターンを前記印刷媒体に印刷する印刷手段と、
を備えた、
ことを特徴とする。
また上記目的を達成するため、本発明の印刷装置の他の様態は、
伸縮する印刷媒体の、伸縮前の長さに対する伸縮後の長さの比率である伸縮率を、当該印刷媒体を伸縮させる前に取得する取得手段と、
前記取得手段が取得した前記伸縮率に基づいて、前記印刷媒体に印刷するパターンの縦横比を決定する決定手段と、
前記決定手段が決定した前記縦横比で前記パターンを前記印刷媒体に印刷する印刷手段と、
前記印刷媒体を引き伸ばした際に、前記印刷媒体の長手方向と直交する幅方向の長さが所定長になったことを示すマークを、前記伸縮率に基づいて、前記印刷媒体の所定位置に印刷するマーク印刷手段と、
を備えた、
ことを特徴とする。
【００１０】
また、上記目的を達成するため、本発明の印刷方法の一様態は、
伸縮する印刷媒体の、伸縮前の長さに対する伸縮後の長さの比率である伸縮率として、前記印刷媒体の長手方向の伸び率と、前記印刷媒体の当該長手方向と直交する幅方向の縮み率とを、当該印刷媒体を伸縮させる前に取得する取得ステップと、
前記取得ステップにおいて取得した前記伸縮率に基づいて、前記印刷媒体に印刷するパターンの縦横比を、前記伸び率に基づく前記長手方向における前記パターンの圧縮率と、前記縮み率に基づく前記幅方向における前記パターンの伸張率と、から決定する決定ステップと、
前記決定ステップにおいて決定した前記縦横比で前記パターンを前記印刷媒体に印刷する印刷ステップと、
を含む、
ことを特徴とする。
また、上記目的を達成するため、本発明の印刷方法の他の様態は、
伸縮する印刷媒体の、伸縮前の長さに対する伸縮後の長さの比率である伸縮率を、当該印刷媒体を伸縮させる前に取得する取得ステップと、
前記取得ステップにおいて取得した前記伸縮率に基づいて、前記印刷媒体に印刷するパターンの縦横比を決定する決定ステップと、
前記決定ステップにおいて決定した前記縦横比で前記パターンを前記印刷媒体に印刷する印刷ステップと、
前記印刷媒体を引き伸ばした際に、前記印刷媒体の長手方向と直交する幅方向の長さが所定長になったことを示すマークを、前記伸縮率に基づいて、前記印刷媒体の所定位置に印刷するマーク印刷ステップと、
を含む、
ことを特徴とする。
【００１１】
また、上記目的を達成するため、本発明のプログラムの一様態は、
コンピュータを、
伸縮する印刷媒体の、伸縮前の長さに対する伸縮後の長さの比率である伸縮率として、前記印刷媒体の長手方向の伸び率と、前記印刷媒体の当該長手方向と直交する幅方向の縮み率とを、当該印刷媒体を伸縮させる前に取得する取得手段、
前記取得手段が取得した前記伸縮率に基づいて、前記印刷媒体に印刷するパターンの縦横比を、前記伸び率に基づく前記長手方向における前記パターンの圧縮率と、前記縮み率に基づく前記幅方向における前記パターンの伸張率と、から決定する決定手段、
前記決定手段が決定した前記縦横比で前記パターンを前記印刷媒体に印刷する印刷手段、
として機能させる、
ことを特徴とする。
また、上記目的を達成するため、本発明のプログラムの他の様態は、
コンピュータを、
伸縮する印刷媒体の、伸縮前の長さに対する伸縮後の長さの比率である伸縮率を、当該印刷媒体を伸縮させる前に取得する取得手段、
前記取得手段が取得した前記伸縮率に基づいて、前記印刷媒体に印刷するパターンの縦横比を決定する決定手段、
前記決定手段が決定した前記縦横比で前記パターンを前記印刷媒体に印刷する印刷手段、
前記印刷媒体を引き伸ばした際に、前記印刷媒体の長手方向と直交する幅方向の長さが所定長になったことを示すマークを、前記伸縮率に基づいて、前記印刷媒体の所定位置に印刷するマーク印刷手段、
として機能させる、
ことを特徴とする。
【発明の効果】
【００１２】
本発明によれば、印刷準備の手間を省き、ユーザの管理負担を軽減することができる。
【図面の簡単な説明】
【００１３】
【図１】本発明の実施形態における印刷装置の斜視図である。
【図２】本発明の実施形態におけるテープを示す図である。
【図３】（ａ）はテープを格納したテープカセットの外観平面図であり、（ｂ）はテープカセットがカセット装着部に装着された状態における断面図である。
【図４】本発明の実施形態における印刷装置のブロック図である。
【図５】伸縮率テーブルの一例を示す図である。
【図６】（ａ）はテープ幅を１２ｍｍにした場合の伸び率及び縮み率を示す図であり、（ｂ）はテープ幅を９ｍｍにした場合の伸び率及び縮み率を示す図である。
【図７】圧縮伸張印刷処理の流れの一例を示すフローチャートである。
【図８】（ａ）はテープ幅を１２ｍｍにした場合のインジケータマーク付きのテープを示す図であり、（ｂ）はテープ幅を９ｍｍにした場合のインジケータマーク付きのテープを示す図である。
【図９】インジケータマークの変形例を示す図である。
【発明を実施するための形態】
【００１４】
以下、本発明の実施形態を、図面を参照しながら説明する。
この実施形態においては、印刷媒体として伸縮するテープに印刷する印刷装置（テーププリンタ）を例にとって説明する。
【００１５】
図１は、この実施形態における印刷装置の斜視図である。図１には、上方に、この印刷装置２０に装着されて用いられるテープカセット３５も示している。
図１に示すように、印刷装置２０は、匡体２１の下方に入力部２２、上方に表示部２４及びテープカセット装着部２５、を備える。
【００１６】
入力部２２は、印刷開始キー、書式設定キー、フォントサイズキー、パターン入力キーなどの複数の操作キー２３を備える。
表示部２４は、ユーザが入力部２２により入力したパターンや各種設定に必要なメニュー画面などを表示する。
【００１７】
テープカセット装着部２５には、サーマルヘッド２６が上下に回動自在に配設され、このサーマルヘッド２６に対向してプラテンローラ２７が配設されている。そして、サーマルヘッド２６を取り巻くようにテープ案内ローラ２８、テープリール支持ピン２９、インクリボン巻き取り駆動軸３１、テープカッタ３２が配設されている。テープカッタ３２の右方にはテープ排出口３３が形成されている。
【００１８】
このテープカセット装着部２５に、テープカセット３５が装着されると、テープ３６を巻着するテープカセット３５内のテープリール孔３７にテープリール支持ピン２９が係合し、同じくテープカセット３５内のインクリボン巻き取りリール孔３８に、インクリボン巻き取り駆動軸３１が係合する。
【００１９】
このテープ３６は、伸縮する長尺状の印刷媒体であって、図２に示すように、テープリール４２に巻き回されている。具体的には、テープ３６は、伸縮性を有する被印刷面体３６−１と、その被印刷面体３６−１の裏面に被着する接着剤層３６−２と、この接着剤層３６−２に剥離自在に一体化された剥離紙３６−３と、からなる。
【００２０】
被印刷面体３６−１は、例えば、ＰＶＣ（ポリビニールクロライド、ポリ塩化ビニール）などの柔軟性樹脂フィルムや合成ゴムなどからなる。また、剥離紙３６−３は、接着剤層３６−２に接する面に離型剤を塗布した紙などであり、搬送の観点から伸縮性を有していない。
【００２１】
ここで、図３（ａ）は、図２のテープ３６を格納したテープカセット３５の外観平面図であり、図３（ｂ）は、そのテープカセット３５がテープカセット装着部２５に装着された状態における断面図である。
【００２２】
図３（ａ）に示すように、テープカセット３５には、底部の所定位置（図の例では中央）に、伸縮するテープ３６を収容したカセットであることを示すカセット種別溝４１が形成されている。このカセット種別溝４１は、図３（ｂ）に示すように、テープカセット装着部２５にテープカセット３５が装着されると、後述する溝検出センサ９０により検出される。
【００２３】
テープカセット３５は、テープリール４２に巻着されたテープ３６と、インクリボンリール４４に巻着されたインクリボン４５と、を備える。テープカセット３５の上部に形成されている凹部４６（図３（ｂ）参照）には、テープ３６とインクリボン４５とが重ねて差し渡されている。
【００２４】
印刷の際は、サーマルヘッド２６が上方に回動して、その先端に配設されている発熱体がインクリボン４５及びテープ３６を介してプラテンローラ２７に圧接し、インクリボン４５のインクをテープ３６の被印刷面体３６−１に熱転写する。その後、インクリボン４５は、インクリボン巻き取りリール４７に巻き取られる。一方で、テープ３６は、テープ排出口３３（図１参照）から外部に排出され、テープカッタ３２により切り落とされる。この流れでテープ３６が印刷される。
【００２５】
次に、図４を参照しながら、印刷装置２０のブロック図について説明する。
印刷装置２０は、制御部５０、入力部２２、表示部２４、ＲＯＭ（Read Only Memory）６０、ＲＡＭ(Random Access Memory)７０、テープ印刷部８０、溝検出センサ９０を備える。
【００２６】
制御部５０は、例えばＣＰＵ（Central Processing Unit）などから構成される。制御部５０は、ＲＯＭ６０に記憶されている印刷制御に係るプログラムを読み出して実行することにより、後述する取得手段、決定手段などの各手段として機能する。
【００２７】
ＲＯＭ６０は、印刷制御に係るプログラムや図５に示す伸縮率テーブルなどを記憶する不揮発性の記憶手段である。
この伸縮率テーブルは、テープ３６のテープ幅（ｍｍ）と、テープ３６の伸縮率（％）と、を対応付けたものである。伸縮率とは、伸縮前の長さに対する伸縮後の長さの比率のことである。このテープ３６は、一例として、テープ幅が１８ｍｍで、かつ、長手方向の伸縮率と幅方向の伸縮率とが等しいものとする。また、この実施形態においては、テープ３６を引き伸ばした際の長手方向の伸縮率を特に伸び率と、同様の状態での幅方向の伸縮率を特に縮み率と、それぞれ呼ぶ。
【００２８】
図示の伸縮率テーブルの例においては、テープ３６のテープ幅を１８ｍｍから１２ｍｍに引き伸ばした場合、長手方向（横方向）の伸び率は１５０％、すなわち３／２倍になり、幅方向（縦方向）の縮み率は約６６．７％、すなわち２／３倍になる（図６（ａ）参照）。
【００２９】
一方、テープ３６のテープ幅を１８ｍｍから９ｍｍに引き伸ばした場合、長手方向（横方向）の伸び率は２００％、すなわち２倍になり、幅方向（縦方向）の縮み率は５０％、すなわち１／２倍になる（図６（ｂ）参照）。
【００３０】
なお、伸縮率テーブルは、予めユーザがテープ幅毎の伸縮率（伸び率及び縮み率）を入力することで作成してもいいし、ユーザが長手方向の伸び率と幅方向の縮み率との比率を入力しておき印刷装置がテープ幅毎（例えば、１２ｍｍや９ｍｍなど）の伸縮率（伸び率及び縮み率）を自動で求めて作成してもよい。
【００３１】
図４に戻って、ＲＡＭ７０は、印刷に係るパターンの情報やそのパターンの縦横比の情報などをバッファとして印刷前に一時的に記憶する記憶手段である。パターンとは、ユーザが入力部２２により入力した、テープ３６に印刷する文字、記号、図形、数字などである。また、縦横比とは、パターンを印刷する際の縦横の比率である。この実施形態においては、ユーザがテープ３６を引き伸ばして使用することを考慮して、後述するように縦横比を変えて印刷を行う。
【００３２】
テープ印刷部８０は、ヘッド駆動回路８１、ローラ駆動回路８２、カッタ駆動回路８３を備える。なお、テープ印刷部８０は、印刷手段に相当する。
ヘッド駆動回路８１は、制御部５０からの制御に基づいて、サーマルヘッド２６を発熱させるように駆動する。
ローラ駆動回路８２は、制御部５０のモータ制御に基づいて、プラテンローラ２７やインクリボン巻取軸３１を回転するように駆動する。
カッタ駆動回路８３は、制御部５０からの制御に基づいて、テープカッタ３２を駆動する。
【００３３】
溝検出センサ９０は、テープ３６を収容したテープカセット３５がテープカセット装着部２５に装着されると、カセット種別溝４１を検知してその検出信号を制御部５０に出力する。
【００３４】
以上、図１乃至図６を参照しながら説明した印刷装置２０において、一つの特徴的な点は、一本のテープ３６を複数の異なるテープ幅（この実施形態の例では１２ｍｍと９ｍｍ）として用いるための圧縮伸張印刷処理である。そこで、以下、この圧縮伸張印刷処理について図７のフローチャートを参照しながら説明する。
【００３５】
この圧縮伸張印刷処理の開始前に、ユーザは、テープ３６に印刷したいパターン、そのパターンの書式やフォントサイズ（引き伸ばした際のパターンのフォントサイズ）など印刷に必要な情報を入力部２２により入力して、かつ、表示部２４のメニュー画面などから所望のテープ幅を選択する。そして、ユーザが入力部２２の印刷開始キーを押下すると、圧縮伸張印刷処理が開始される。なお、以下では、ユーザがパターンとしてそれぞれ「あ」「い」「う」「え」「お」と横書きに入力した場合を例にとって説明する。
【００３６】
まず、制御部５０は、テープ幅に対応する伸縮率を取得する（ステップＳ１１）。具体的には、制御部５０は、伸縮率テーブルを参照して、テープ幅に対応する長手方向の伸び率と幅方向の縮み率とを取得する。例えば、ユーザが９ｍｍのテープ幅を選択した場合には、制御部５０は、伸縮率テーブルを参照して、テープ幅９ｍｍに対応する伸び率２００％と縮み率５０％とを取得する。なお、制御部５０は、ユーザから伸縮率（伸び率及び縮み率）の入力を直接取得してもよい。
【００３７】
次に、制御部５０は、伸び率から長手方向の圧縮率を、縮み率から幅方向の伸張率を、それぞれ決定する（ステップＳ１２）。具体的には、制御部５０は、伸び率の逆数から長手方向におけるパターンの圧縮率を、縮み率の逆数から幅方向におけるパターンの伸張率を、それぞれ決定する。
【００３８】
例えば、テープ幅１２ｍｍの場合、制御部５０は、伸び率１５０％（３／２倍）の逆数２／３から長手方向のパターンの圧縮率約６６．７％を、縮み率約６６．７％（２／３倍）の逆数３／２から幅方向のパターンの伸張率１５０％を、それぞれ決定する。一方で、テープ幅９ｍｍの場合、制御部５０は、伸び率２００％（２倍）の逆数１／２から長手方向のパターンの圧縮率５０％を、縮み率５０％（１／２倍）の逆数２から幅方向のパターンの伸張率２００％を、それぞれ決定する。つまり、テープ３６を引き伸ばして所定幅にした際の伸び率分予め各パターン（「あ」「い」「う」「え」「お」）を長手方向に圧縮し、縮み率分予め各パターンを幅方向に伸張する。
【００３９】
また、このステップＳ１２においては、長手方向（横方向）のパターンの圧縮率と、幅方向（縦方向）のパターンの伸張率と、を決定していることから、印刷時のパターンの縦横比を決定しているともいえる。例えば、横方向の圧縮率５０％と縦方向の伸張率２００％の場合、パターンの縦横比は縦４：横１となる。
【００４０】
次に、制御部５０は、テープ印刷部８０に圧縮伸張印刷と同時にインジケータマーク３９の印刷を行うように指示する（ステップＳ１３）。具体的には、制御部５０は、長手方向におけるパターンの圧縮率で各パターン（「あ」「い」「う」「え」「お」）を圧縮し、幅方向におけるパターンの伸張率で各パターンを伸張して、テープ印刷部８０にテープ３６に印刷を行うように指示する。すなわち、圧縮率と伸張率とで定まる縦横比で各パターンを印刷するように指示する。この圧縮伸張印刷の基準となるパターンのフォントサイズは、ユーザが入力部２２により入力したテープ３６引き伸ばし後のフォントサイズである。
【００４１】
また、制御部５０は、テープ印刷部８０に各パターンの印刷と同時に、テープ３６を引き伸ばした際に、テープ３６の幅方向の長さが所定長になったことを示すインジケータマーク３９をテープ３６に印刷するように指示する。ここで、図８（ａ）はテープ幅を１２ｍｍにした場合のインジケータマーク３９付きのテープ３６を、図８（ｂ）はテープ幅を９ｍｍにした場合のインジケータマーク３９付きのテープ３６を、それぞれ示す。なお、テープ印刷部８０は、マーク印刷手段に相当する。
【００４２】
この実施形態におけるインジケータマーク３９は、伸縮率に基づいて、テープ３６の所定位置に印刷される。このことについて、図８（ｂ）を例にとって説明すると、幅方向における縮み率が５０％（１／２倍）であることから、テープ幅１８ｍｍのテープ３６において幅方向のエッジ中央（１／２の位置）に実線で示すインジケータマーク３９が印刷される。一方、長手方向における伸び率が２００％（２倍）であることから、テープ幅１８ｍｍのテープ３６において長手方向のエッジ中央（１／２の位置）に実線で示すインジケータマーク３９が印刷される。つまり、幅方向については縮み率に基づいてそのままインジケータマーク３９を印刷し、長手方向については伸び率の逆数に基づいてインジケータマーク３９を印刷する。
【００４３】
印刷後は、図８（ｂ）に点線で示すように、ユーザが手書きなどでテープ３６の貼付対象物に目印４０を付けておく（幅方向ではインジケータマーク３９と同じ箇所、長手方向では角部分）。そして、テープ３６を引き伸ばした際に長手方向についてはインジケータマーク３９が点線で示した目印４０の位置にきた箇所で、幅方向については幅方向の角部分が点線で示した目印４０の位置にきた箇所で、テープ幅９ｍｍの所定幅になる。これにより、ユーザは精度よくテープ３６を所定幅に引っ張ることができる。なお、インジケータマーク３９は、長手方向又は幅方向何れか一方だけに印刷してもよい。
【００４４】
また、圧縮伸張印刷について図８（ｂ）を例にとって説明すると、テープ幅９ｍｍに引き伸ばした際の各パターンのフォントサイズを基準として、各パターンを長手方向に圧縮率５０％、幅方向に伸張率２００％、すなわち縦横比（縦４：横１）で印刷する。これにより、図８（ｂ）の左に示す印刷後のテープ３６が得られ、それをテープ幅９ｍｍに引っ張るとユーザが所望するフォントサイズの各パターン（「あ」「い」「う」「え」「お」）が印刷されたテープ３６が得られる。
【００４５】
図７に戻って、圧縮伸張印刷と同時にインジケータマーク３９の印刷を行うと（ステップＳ１３）、圧縮伸張印刷処理を終了する。なお、この圧縮伸張印刷処理において、制御部５０は、取得手段および決定手段として機能する。
【００４６】
以上、この実施形態における印刷装置２０によれば、テープ３６を引き伸ばして所定幅で用いることを考慮して、制御部５０は、テープ３６の伸縮率（伸び率及び縮み率）を取得し、取得した伸び率から定まる圧縮率と縮み率から定まる伸張率とからパターン（この実施形態では、「あ」「い」「う」「え」「お」の各パターン）の縦横比を決定し、決定した縦横比でパターンをテープ３６に印刷するようにしている。
【００４７】
このため、テープ３６を所定幅に引き伸ばすことでユーザが所望するパターンが得られ、この所定幅（この実施形態では１２ｍｍ又は９ｍｍ）のままユーザはテープ３６を貼ることができる。つまり、１本のテープ３６を複数の異なるテープ幅として使用することができる。このため、ユーザは、テープ幅毎に異なるテープを管理する必要がなく、予め使用する予定のテープ幅のテープを複数購入しておく必要がない。また、テープの入れ替えの手間も省くことができる。したがって、印刷準備の手間を省くとともに、ユーザの管理負担を軽減することができる。
【００４８】
また、この実施形態においては、テープ幅を所定幅として使用するために、印刷するパターンを幅方向に圧縮して印刷するようにしている。このため、テープ３６を節約することができるので、テープ３６を長く使用することができる。
【００４９】
また、この実施形態においては、テープ３６の伸縮率に基づいてインジケータマーク３９を印刷するようにしている。このため、テープ幅が所定長になったか否かを正確に把握することができるので、精度よくテープ３６を所定長にすることができる。
【００５０】
以上で実施形態の説明を終了するが、印刷装置２０の具体的な構成や図７に示した圧縮伸張印刷処理の内容が上述の実施形態で説明したものに限られないことはもちろんである。
【００５１】
（変形例）
上述した実施形態における図７の圧縮伸張印刷処理においては、インジケータマーク３９を伸縮率に基づいて所定位置に印刷するようにしたが、これに限られない。例えば、インジケータマーク３９を図９のようにすることができる。図９のインジケータマーク３９は、テープ幅が所定長になると縦横の比率が１対１になる図形マークである。
図９の例では、テープ幅１２ｍｍで縦横の比率が１対１の真円となるように、楕円のインジケータマーク３９を基準のテープ幅１８ｍｍのテープ３６に印刷しておく。なお、図形マークは、所定長になると縦横の比率が１対１になればよく、例えば所定長において正方形となるように長方形のインジケータマーク３９を印刷してもよい。
【００５２】
また、上述した実施形態及び変形例におけるインジケータマーク３９は、ユーザがテープ３６を引っ張ってテープ幅を所定長にするための目印であるから、ユーザが識別できる程度に印刷しておけばよい。具体的には、テープ３６の目立たない位置に薄く細く印刷するとよい。
【００５３】
また、上述した実施形態及び変形例においては、インジケータマーク３９を印刷するようにしたが、これに限られない。インジケータマーク３９を印刷しないようにして、ユーザの目視により（例えば、テープ３６を引き伸ばした際のパターンの縦横の比率などを手がかりに）テープ幅を所定幅にしてもよい。
【００５４】
また、この実施形態においては、テープ３６の幅方向の縮み率と長手方向の伸び率との比率が同じであることを前提に説明したが、異なる場合もある。この場合であっても、予め比率が分かっていれば、制御部５０は、選択されたテープ幅に応じて自動で伸び率及び縮み率を求めることができる。また、ユーザが伸縮率テーブルにテープ幅として記憶されていないテープ幅（１２ｍｍ、９ｍｍ以外のテープ幅）を指定した場合であっても、制御部５０は、比率に基づいて自動で伸び率及び縮み率を求めることができる。
【００５５】
また、この実施形態においては、ユーザにより入力された各パターンは横書きであることを前提に説明したが、これに限られない。縦書きであっても、図７の圧縮伸張印刷処理と同様の処理により、縦書きの各パターンを長手方向に圧縮し、幅方向に伸張してテープ３６に印刷すればよい。また、各パターンの印刷濃度は、テープ３６が引き伸ばされると薄くなることを考慮して、引き伸ばされる程度に応じて（つまり、テープ幅が短くなる程）、濃く印刷するとよい。
【００５６】
また、この実施形態においては、パターンの入力や印刷指示などを入力部２２により行うことを前提として説明したが、これに限られない。例えば、印刷装置２０とＰＣ（Personal Computer）とを有線又は無線で接続して、ＰＣのプリンタドライバからパターンの入力、所望幅の選択、印刷指示などを行ってもよい。
【００５７】
また、この実施形態においては、印刷媒体の例として伸縮するテープを前提に説明したが、これに限られない。要は伸縮する印刷媒体であればよく、例えば伸縮するカット紙に圧縮伸張印刷を行ってもよい。この場合、印刷装置２０は、図１に示したテーププリンタではなく、インクジェットプリンタや複合機として構成することができる。
【００５８】
また、この発明の印刷装置２０の各機能は、通常のＰＣ等のコンピュータによっても実施することができる。具体的には、上記実施形態では、印刷装置２０のプログラムが、ＲＯＭ６０に予め記憶されているものとして説明した。しかし、このプログラムを、フレキシブルディスク、ＣＤ−ＲＯＭ（Compact Disc Read Only Memory）、ＤＶＤ（Digital Versatile Disc）及びＭＯ（Magneto-Optical Disc）等のコンピュータ読み取り可能な記録媒体に格納して配布し、そのプログラムをコンピュータにインストールすることにより、印刷装置２０の各機能を実現することができるコンピュータを構成してもよい。
また、プログラムをインターネット等の通信ネットワーク上のサーバ装置が有するディスク装置等に格納しておき、例えば、コンピュータがダウンロード等をすることができるようにしてもよい。
【００５９】
以上、本発明の実施形態について説明したが、この実施形態は、例示に過ぎず、本発明の技術的範囲を限定するものではない。本発明はその他の様々な実施形態をとることが可能であり、さらに、本発明の要旨を逸脱しない範囲で、省略や置換等種々の変更を行うことができる。これら実施形態やその変形は、特許請求の範囲に記載された発明とその均等の範囲とに含まれる。以下に、本願出願当初の特許請求の範囲に記載された発明を付記する。
【００６０】
（付記１）
伸縮する印刷媒体の、伸縮前の長さに対する伸縮後の長さの比率である伸縮率を、当該印刷媒体を伸縮させる前に取得する取得手段と、
前記取得手段が取得した前記伸縮率に基づいて、前記印刷媒体に印刷するパターンの縦横比を決定する決定手段と、
前記決定手段が決定した前記縦横比で前記パターンを前記印刷媒体に印刷する印刷手段と、
を備えた、
ことを特徴とする印刷装置。
【００６１】
（付記２）
前記取得手段は、前記伸縮率として、前記印刷媒体の長手方向の伸び率と、前記印刷媒体の当該長手方向と直交する幅方向の縮み率と、を取得し、
前記決定手段は、前記縦横比を、前記伸び率に基づく前記長手方向における前記パターンの圧縮率と、前記縮み率に基づく前記幅方向における前記パターンの伸張率と、から決定する、
ことを特徴とする付記１に記載の印刷装置。
【００６２】
（付記３）
前記印刷媒体を引き伸ばした際に、前記印刷媒体の長手方向と直交する幅方向の長さが所定長になったことを示すマークを、前記印刷媒体に印刷するマーク印刷手段、をさらに備えた、
ことを特徴とする付記１又は２に記載の印刷装置。
【００６３】
（付記４）
前記マーク印刷手段は、前記伸縮率に基づいて、前記マークを前記印刷媒体の所定位置に印刷する、
ことを特徴とする付記３に記載の印刷装置。
【００６４】
（付記５）
前記マーク印刷手段は、前記所定長において縦横の比率が１対１になる図形マークを、前記印刷媒体に印刷する、
ことを特徴とする付記３に記載の印刷装置。
【００６５】
（付記６）
伸縮する印刷媒体の、伸縮前の長さに対する伸縮後の長さの比率である伸縮率を、当該印刷媒体を伸縮させる前に取得する取得ステップと、
前記取得ステップにおいて取得した前記伸縮率に基づいて、前記印刷媒体に印刷するパターンの縦横比を決定する決定ステップと、
前記決定ステップにおいて決定した前記縦横比で前記パターンを前記印刷媒体に印刷する印刷ステップと、
を含む、
ことを特徴とする印刷方法。
【００６６】
（付記７）
コンピュータを、
伸縮する印刷媒体の、伸縮前の長さに対する伸縮後の長さの比率である伸縮率を、当該印刷媒体を伸縮させる前に取得する取得手段、
前記取得手段が取得した前記伸縮率に基づいて、前記印刷媒体に印刷するパターンの縦横比を決定する決定手段、
として機能させる、
ことを特徴とするプログラム。
【符号の説明】
【００６７】
２０…印刷装置、２１…筐体、２２…入力部、２３…操作キー、２４…表示部、２５…テープカセット装着部、２６…サーマルヘッド、２７…プラテンローラ、２８…テープ案内ローラ、２９…テープリール支持ピン、３１…インクリボン巻き取り駆動軸、３２…テープカッタ、３３…テープ排出口、３５…テープカセット、３６…テープ、３６−１…被印刷面体、３６−２…接着剤層、３６−３…剥離紙、３７…テープリール孔、３８…インクリボン巻き取りリール孔、３９…インジケータマーク、４０…目印、４１…カセット種別溝、４２…テープリール、４４…インクリボンリール、４５…インクリボン、４６…凹部、４７…インクリボン巻き取りリール、５０…制御部、６０…ＲＯＭ、７０…ＲＡＭ、８０…テープ印刷部、８１…ヘッド駆動回路、８２…ローラ駆動回路、８３…カッタ駆動回路、９０…溝検出センサ
【図１】
0006398521.tif 000002
【図２】
0006398521.tif 000003
【図３】
0006398521.tif 000004
【図４】
0006398521.tif 000005
【図５】
0006398521.tif 000006
【図６】
0006398521.tif 000007
【図７】
0006398521.tif 000008
【図８】
0006398521.tif 000009
【図９】
0006398521.tif 000010